(57)【特許請求の範囲】
【請求項１】
引き出しを収容する収容室を備えた収納装置に設けられ、振動時に引き出しの開放を阻止する振動感知ロック装置であって、
係止装置と被係止装置を有し、
係止装置は、
収納装置の収容室の側面に取り付けられるケースと、
当該ケースに設けられ、非振動時には引き出しを係止しない非係止位置で保持されており、振動時には非係止位置から引き出しを係止する係止位置に突出し、引き出しを係止して引き出しの開放を阻止する係止部材とからなり、
被係止装置は、
引き出しの側面に取り付けられる被係止本体と、
被係止本体の表面に設けられ、前記係止部材を係止する係止突起と、
被係止本体の裏面に形成され、引き出しの側面奥側に設けられた奥側開口に係合する係合突起と、
被係止本体の裏面に形成され、引き出しの側面手前側に設けられた手前側開口の端縁に摺接して被係止本体を奥側に摺動させる傾斜面を備えたガイド突起とを有することを特徴とする振動感知ロック装置。
【請求項２】
被係止本体の裏面には、前記手前側開口の周縁を係止する係止爪が形成されていることを特徴とする請求項１記載の振動感知ロック装置。
【請求項３】
前記係合突起には、引き出しの奥側開口端縁を係止する係止凹部が形成され、
前記係止凹部は、ガイド突起の傾斜面が手前側開口の端縁に摺接して被係止本体の奥側摺動時に奥側開口端縁を係止することを特徴とする請求項１又は２記載の振動感知ロック装置。
【請求項４】
引き出しを収容する収容室を備えた収納装置の収容室の側面に取り付けられるケースと、当該ケースに設けられ、非振動時には引き出しを係止しない非係止位置で保持されており、振動時には非係止位置から引き出しを係止する係止位置に突出し、引き出しを係止して引き出しの開放を阻止する係止部材とからなる係止装置が設けられた前記収納装置の引き出しに取り付けられる被係止装置であって、
引き出しの側面に取り付けられる被係止本体と、
被係止本体の表面に設けられ、前記係止部材を係止する係止突起と、
被係止本体の裏面に形成され、引き出しの側面奥側に設けられた奥側開口に係合する係合突起と、
被係止本体の裏面に形成され、引き出しの側面手前側に設けられた手前側開口の端縁に摺接して被係止本体を奥側に摺動させる傾斜面を備えたガイド突起とを有することを特徴とする被係止装置。
【請求項５】
被係止本体の裏面には、前記手前側開口の周縁を係止する係止爪が形成されていることを特徴とする請求項４記載の被係止装置。
【請求項６】
前記係合突起には、引き出しの奥側開口端縁を係止する係止凹部が形成され、
前記係止凹部は、ガイド突起の傾斜面が手前側開口の端縁に摺接して被係止本体の奥側摺動時に奥側開口端縁を係止することを特徴とする請求項４又は５記載の被係止装置。
【発明の詳細な説明】
【技術分野】
【０００１】
この発明は、箪笥、机、食器棚等の引き出し付き収納装置に設けられ、地震等の振動時に係止部材が突出して引き出しを係止し、引き出しの開放を規制する振動感知ロック装置に関し、詳しくは引き出しに着脱可能に取り付けられ、振動感知ロック装置の係止部材に係止される被係止装置に係るものである。
【背景技術】
【０００２】
従来、箪笥、机、食器棚等の引き出し付き収納装置では、地震の揺れにより引き出しが開いて、皿、コップ等の収納物が飛び出したりするので、その収納物の飛び出しを防止するため、地震時に引き出しの開放を規制する振動感知ロック装置が設けられている。この従来の振動感知ロック装置は、係止装置と、係止装置によって係止される被係止装置とからなる。係止装置は、笥、机、食器棚等の引き出し付き収納装置の収納装置本体に取り付けられる。また、被係止装置は、収納装置本体に引き出し可能に設けられた引き出しに取り付けられる。
【０００３】
従来の振動感知ロック装置の係止装置は、係止部材がケースに突出可能に設けられている。係止部材は、非地震時には被係止位置で保持されており、地震時には係止位置に突出する。この係止部材が係止位置に突出した時に係止する被係止装置は、被係止片と固定部材とからなる。被係止片は、矩形板状の被係止本体と、被係止本体の表面の一方に設けられた係止突起と、被係止本体の裏面の一方に設けられた係止爪と、被係止本体の他方に形成された連結孔で形成されている。固定部材は、軸部と、軸部の一端に形成された操作片と、軸部の他端に形成された係合片とからなる。被係止装置は、引き出しの側面に形成された係止孔に係止爪を係止し、引き出しの側面に形成された挿通孔に連結孔を重ね合わせ、連結孔と挿通孔に固定部材の軸部を挿通後に一方に回動することにより係合片が引き出しの側面に係合して取り付けられるように構成されている。引き出しの側面に取り付けられた被係止装置の係止突起は、地震時に係止位置に移動した係止装置の係止部材に係止して、引き出しの開放を阻止するように構成されている（例えば、特許文献１）。
【先行技術文献】
【特許文献】
【０００４】
【特許文献１】特開２０１０−２７０５１７号公報
【発明の概要】
【発明が解決しようとする課題】
【０００５】
上記した従来の振動感知ロック装置は、本願出願人が出願したものであるが、被係止装置は、被係止片と固定部材とからなる２部品構成となっているので、２つの部品を別々に製造しなければならず、面倒であると共に製造コストが高かった。また、被係止装置は、引き出しの側面に形成された係止孔に被係止片の係止爪を係止し、引き出しの側面に形成された挿通孔に被係止片の連結孔を重ね合わせ、連結孔と挿通孔に固定部材の軸部を挿通させてから固定部材を一方に回動させて係合片を引き出しの側面に係合させ、引き出しに取り付けられる。また、被係止装置は、固定部材を他方に回動させて係合片の引き出しの側面に対する係合を解除して固定部材を連結孔及び挿通孔から引き抜き、引き出しの側面に形成された係止孔から被係止片の係止爪を外すことにより、引き出しから取り外すことができる。このように被係止装置は、引き出しの側面への取り付け及び取り外しが面倒であり、簡単に脱着できる構成ではなかった。
【０００６】
本願発明は、上記点に鑑み案出したものであって、一つの部品で構成することにより製造の容易化及び低コスト化を実現でき、引き出しの側面への脱着を簡単にした被係止装置及びこの被係止装置を備えた振動感知ロック装置を提供することを目的とする。
【課題を解決するための手段】
【０００７】
本願請求項１に係る振動感知ロック装置は、上記目的を達成するため、引き出しを収容する収容室を備えた収納装置に設けられ、振動時に引き出しの開放を阻止する振動感知ロック装置であって、係止装置と被係止装置を有し、係止装置は、収納装置の収容室の側面に取り付けられるケースと、当該ケースに設けられ、非振動時には引き出しを係止しない非係止位置で保持されており、振動時には非係止位置から引き出しを係止する係止位置に突出し、引き出しを係止して引き出しの開放を阻止する係止部材とからなり、被係止装置は、引き出しの側面に取り付けられる被係止本体と、被係止本体の表面に設けられ、前記係止部材を係止する係止突起と、被係止本体の裏面に形成され、引き出しの側面奥側に設けられた奥側開口に係合する係合突起と、被係止本体の裏面に形成され、引き出しの側面手前側に設けられた手前側開口の端縁に摺接して被係止本体を奥側に摺動させる傾斜面を備えたガイド突起とを有することを特徴とする。
【０００８】
本願請求項２に係る振動感知ロック装置は、上記目的を達成するため、被係止本体の裏面には、前記手前側開口の周縁を係止する係止爪が形成されていることを特徴とする。
【０００９】
本願請求項３に係る振動感知ロック装置は、上記目的を達成するため、前記係合突起には、引き出しの奥側開口端縁を係止する係止凹部が形成され、前記係止凹部は、ガイド突起の傾斜面が手前側開口の端縁に摺接して被係止本体の奥側摺動時に奥側開口端縁を係止することを特徴とする。
【００１０】
本願請求項４に係る被係止装置は、上記目的を達成するため、引き出しを収容する収容室を備えた収納装置の収容室の側面に取り付けられるケースと、当該ケースに設けられ、非振動時には引き出しを係止しない非係止位置で保持されており、振動時には非係止位置から引き出しを係止する係止位置に突出し、引き出しを係止して引き出しの開放を阻止する係止部材とからなる係止装置が設けられた前記収納装置の引き出しに取り付けられる被係止装置であって、引き出しの側面に取り付けられる被係止本体と、被係止本体の表面に設けられ、前記係止部材を係止する係止突起と、被係止本体の裏面に形成され、引き出しの側面奥側に設けられた奥側開口に係合する係合突起と、被係止本体の裏面に形成され、引き出しの側面手前側に設けられた手前側開口の端縁に摺接して被係止本体を奥側に摺動させる傾斜面を備えたガイド突起とを有することを特徴とする。
【００１１】
本願請求項５に係る被係止装置は、上記目的を達成するため、被係止本体の裏面には、前記手前側開口の周縁を係止する係止爪が形成されていることを特徴とする。
【００１２】
本願請求項６に係る被係止装置は、上記目的を達成するため、前記係合突起には、引き出しの奥側開口端縁を係止する係止凹部が形成され、前記係止凹部は、ガイド突起の傾斜面が手前側開口の端縁に摺接して被係止本体の奥側摺動時に奥側開口端縁を係止することを特徴とする。
【発明の効果】
【００１３】
本願発明に係る振動感知ロック装置は、引き出しを収容する収容室を備えた収納装置の引き出しを挟んだ左右方向両側の収容室の一方の側面に係止装置を設け、引き出しの前記一方の側面に対向する側面に、前記係止装置に係止される被係止装置を簡単に取り付けることができる。収容室の一方の側面に設けられた係止装置は、非振動時に、係止部材が引き出しを係止しない非係止位置で保持されており、振動時に、係止部材が非係止位置から係止位置に突出し、引き出しに取り付けられた被係止装置の係止突起を係止し、引き出しの開放を阻止する。
【００１４】
本願発明に係る被係止装置は、被係止本体と、被係止本体の表面に設けられ、前記係止部材を係止する係止突起と、被係止本体の裏面に形成され、引き出しの側面奥側に設けられた奥側開口に係合する係合突起と、被係止本体の裏面に形成され、引き出しの側面手前側に設けられた手前側開口の端縁に摺接して被係止本体を奥側に摺動させる傾斜面を備えたガイド突起とからなる。本願発明に係る被係止装置は、このように、一つの部品で構成することができるので、製造の容易化及び低コスト化を実現できるという効果がある。
【００１５】
また、本願発明に係る被係止装置は、引き出しの側面奥側に設けられた奥側開口に係合突起を係合させ、引き出しの側面手前側に設けられた手前側開口の端縁にガイド突起の傾斜面を摺接させると、被係止本体が奥側に摺動して位置決めされ、引き出しの側面への取り付けを簡単に行うことができる。また、本願発明に係る被係止装置は、引き出しの側面に取り付けた状態において、被係止本体を手前側に摺動させると、ガイド突起の傾斜面が手前側開口の端縁に摺接するので、被係止本体が引き出しから離れていき、引き出しの側面から簡単に取り外すことができる。このように、本願発明に係る被係止装置は、引き出しの側面への取り付け及び取り外しを簡単に行うことができるいう効果がある。
【００１６】
本願発明に係る被係止装置は、被係止本体の裏面に、前記手前側開口の周縁を係止する係止爪が形成されていると、引き出しの側面への取り付けがより確実となるという効果がある。即ち、本願発明に係る被係止装置は、引き出しの側面奥側に設けられた奥側開口に係合突起を係合させ、引き出しの側面手前側に設けられた手前側開口の周縁に係止爪を係止させるようにしながら、ガイド突起の傾斜面を手前側開口の端縁に摺接させると、被係止本体が奥側に摺動して位置決めされ、引き出しの側面への取り付けを簡単且つ強固に行うことができる。また、本願発明に係る被係止装置は、引き出しの側面に取り付けた状態において、被係止本体を手前側に摺動させると、ガイド突起の傾斜面が手前側開口の端縁に摺接するので、被係止本体が引き出しから離れていき、係止爪が手前側開口の周縁から外れ、引き出しの側面から簡単に取り外すことができる。このように、本願発明に係る被係止装置は、係止爪を備えていても、引き出しの側面への脱着を簡単に行うことができるという効果がある。
【００１７】
また、本願発明に係る被係止装置は、係合突起に引き出しの奥側開口端縁を係止する係止凹部が形成されていると、ガイド突起の傾斜面を手前側開口の端縁に摺接させて被係止本体が奥側に摺動した場合、係止凹部が奥側開口端縁を係止するので、引き出しの側面への取付をさらに強固にすることができるという効果がある。また、本願発明に係る被係止装置は、引き出し側面に取り付けた状態において、被係止本体を手前側に摺動させると、係止凹部が奥側開口端縁から簡単に外れるので、引き出しの側面から容易に離脱させることができるという効果がある。このように、本願発明に係る被係止装置は、係止爪及び係止凹部を備えていても、引き出しの側面への脱着を簡単に行うことができるという効果がある。
【図面の簡単な説明】
【００１８】
【図１】本願発明に係る振動感知ロック装置の被係止装置の説明図であって、（ａ）が表面図、（ｂ）が右側面図、（ｃ）が左側面図、（ｄ）が正面図、（ｅ）が左側面図、（ｆ）が裏面図、（ｇ）がＸ−Ｘ断面図である。
【図２】図１の被係止装置の取付方を説明する説明図であり、（ａ）が取付前の正面図、（ｂ）が取付中の正面図、（ｃ）が取付後の正面図、（ｄ）が取付後の裏面図である。
【図３】本願発明に係る振動感知ロック装置の係止装置の分解斜視図である。
【図４】図３の係止装置の係止部材の斜視図である。
【図５】振動感知ロック装置を収納装置に取り付けた状態の説明図であって、（ａ）が平面図、（ｂ）が正面図、（ｃ）が側面図である。
【図６】図５の振動感知ロック装置のロック状態の説明図であって、（ａ）が平面図、（ｂ）が正面図、（ｃ）が側面図である。
【発明を実施するための最良の形態】
【００１９】
図５に示すように、振動感知ロック装置Ａは、引き出し１０５を収容する収容室１０２を備えた収納装置１００に設けられ、振動時に引き出し１０５の開放を阻止するものであって、係止装置１と被係止装置６１を有する。係止装置１は、収納装置１００の収容室１０２の側面１０３に取り付けられるケース２と、当該ケース２に設けられ、非振動時には引き出し１０５を係止しない非係止位置Ｘ１で保持されており、図６に示すように、振動時には非係止位置Ｘ１から引き出し１０５を係止する係止位置Ｘ２に突出し、引き出し１０５を係止して引き出し１０５の開放を阻止する係止部材３１とからなる。
【００２０】
振動感知ロック装置Ａは、引き出し１０５を収容する収容室１０２を備えた収納装置１００の引き出し１０５を挟んだ左右方向両側の収容室１０２の一方の側面１０３に係止装置１を設け、引き出し１０５の前記一方の側面１０３に対向する側面１０７ａに、前記係止装置１に係止される被係止装置６１を簡単に取り付けることができる。収容室１０２の一方の側面１０３に設けられた係止装置１は、非振動時に、係止部材３１が引き出し１０５を係止しない非係止位置Ｘ１で保持されており、振動時に、係止部材３１が非係止位置Ｘ１から係止位置Ｘ２に突出し、引き出し１０５に取り付けられた被係止装置６１の係止突起６５を係止し、引き出し１０５の開放を阻止する。
【００２１】
図１，２に示すように、被係止装置６１は、引き出し１０５の側面１０７ａに取り付けられる被係止本体６３と、被係止本体６３の表面６３ａに設けられ、前記係止部材３１を係止する係止突起６５と、被係止本体６３の裏面６３ｂに形成され、引き出し１０５の側面１０７ａ奥側に設けられた奥側開口１０８に係合する係合突起６７と、被係止本体６３の裏面に形成され、引き出し１０５の側面１０７ａ手前側に設けられた手前側開口１０９の端縁１０９ａに摺接して被係止本体６３を奥側に摺動させる傾斜面６８ａを備えたガイド突起６８とからなる。被係止装置６１は、このように、一つの部品で構成することができるので、製造の容易化及び低コスト化を実現できる。
【００２２】
また、被係止装置６１は、引き出し１０５の側面１０７ａ奥側に設けられた奥側開口１０８に係合突起６７を係合させ、引き出し１０５の側面１０７ａ手前側に設けられた手前側開口１０９の端縁１０９ａにガイド突起６８の傾斜面６８ａを摺接させると、被係止本体６３が奥側に摺動して位置決めされ、引き出し１０５の側面１０７ａへの取り付けを簡単に行うことができる。また、被係止装置６１は、引き出し１０５の側面１０７ａに取り付けた状態において、被係止本体６３を手前側に摺動させると、ガイド突起６８の傾斜面６８ａが手前側開口１０９の端縁１０９ａに摺接するので、被係止本体６３が引き出し１０５から離れていき、引き出し１０５の側面１０７ａから簡単に取り外すことができる。このように、被係止装置６１は、引き出し１０５の側面１０７ａへの取り付け及び取り外しを簡単に行うことができる。
【００２３】
被係止装置６１は、被係止本体６３の裏面６３ｂに、前記手前側開口１０９の周縁１０９ｂを係止する係止爪６６が形成されていると、引き出し１０５の側面１０７ａへの取り付けがより確実となる。即ち、被係止装置６１は、引き出し１０５の側面１０７ａ奥側に設けられた奥側開口１０８に係合突起６７を係合させ、引き出し１０５の側面１０７ａ手前側に設けられた手前側開口１０９の周縁１０９ｂに係止爪６６を係止させるようにしながら、ガイド突起６８の傾斜面６８ａを手前側開口１０９の端縁１０９ａに摺接させると、被係止本体６３が奥側に摺動して位置決めされ、引き出し１０５の側面１０７ａへの取り付けを簡単且つ強固に行うことができる。また、被係止装置６１は、引き出し１０５の側面１０７ａに取り付けた状態において、被係止本体６３を手前側に摺動させると、ガイド突起６８の傾斜面６８ａが手前側開口１０９の端縁１０９ａに摺接するので、被係止本体６３が引き出し１０５から離れていき、係止爪６６が手前側開口１０９の周縁１０９ｂから外れ、引き出し１０５の側面１０７ａから簡単に取り外すことができる。このように、被係止装置６１は、係止爪６６，６６を備えていても、引き出し１０５の側面１０７ａへの脱着を簡単に行うことができる。
【００２４】
被係止装置６１は、係合突起６７に引き出し１０５の奥側開口１０８端縁１０８ａを係止する係止凹部６７ａが形成されていると、ガイド突起６８の傾斜面６８ａを手前側開口１０９の端縁１０９ａに摺接させて被係止本体６３が奥側に摺動した場合、図２（ｃ）に示すように、係止凹部６７ａが奥側開口１０８端縁１０８ａを係止するので、引き出し１０５の側面１０７ａに対する取り付けをさらに強固にすることができる。また、被係止装置６１は、引き出し１０５の側面１０７ａに取り付けた状態において、被係止本体６３を手前側に摺動させると、係止凹部６７ａが奥側開口１０８端縁１０８ａから簡単に外れるので、引き出し１０５の側面１０７ａから容易に離脱させることができる。このように、被係止装置６１は、係止爪６６，６６及び係止凹部６７ａを備えていても、引き出し１０５の側面１０７ａへの脱着を簡単に行うことができる。
【００２５】
さらに振動感知ロック装置Ａについて詳細に説明する。振動感知ロック装置Ａは、係止装置１と被係止装置６１とを有する。図３、４に示すように、係止装置１は、ケース２と、球体８と、係止部材３１とからなる。ケース２は、楕円状のフランジ３と、二つの円を重ねた略８の字状の突出部５とからなり、フランジ３の裏面３ｂに突出部５が形成されている。ケース２には、略直方体状の収納室１１が形成されている。収納室１１は、下面１２と、上面１３と、前面１５と、後面１６と、一方の側面１７とで構成され、他方の側面が開放されて開口１８を形成している。即ち、フランジ３の表面３ａに開口１８が形成され、この開口１８は収納室１１と連通している。
【００２６】
下面１２は、略中心に向かって下降傾斜する前傾斜面２１と後傾斜面２２によって形成されている。さらに前傾斜面２１と後傾斜面２２は、一方の側面１７側に向かって下降傾斜している。前傾斜面２１と後傾斜面２２は、略中心で接続され、この接続部に接続線（底線）２３が形成される。なお、この接続線（底線）２３も、一方の側面１７側に向かって下降傾斜している。
【００２７】
上面１３は、この面を下側に位置させると下面１２と略同じ形状となるように、下面１２と対称に形成されている。前面１５と後面１６には、収納室１１内と突出部５外側を連通する軸受け孔２６，２７が形成されている。軸受け孔２６には、支軸６が挿入して取り付けられ、軸受け孔２７には、支軸７が挿入して取り付けられる。フランジ３の上部と下部には、ネジ３７，３７を挿通する挿通孔２８，２９が穿設されている。
【００２８】
球体８は、係止部材３１を回動させることができる程度の重さを有し、下面１２に載置
される。下面１２に載置された球体８は、自重により一番低い位置の接続線（底線）２３上に位置し、傾斜する接続線（底線）２３に沿って一方の側面１７に当接して静止する。この球体８の静止する位置が初期位置となる。ケース２をひっくり返して上面１３を下側に位置させると上面１３が下面１２となるので、球体８を逆さまにひっくり返した上面１３に載せた場合でも前述したように静止する。
【００２９】
係止部材３１は、前記収納室１１内に収納可能な大きさに形成され、表側面板３２と、表側面板３２と略平行に設けられた裏側面板３３と、表側面板３２と裏側面板３３の前端に設けられた前面板３５と、表側面板３２と裏側面板３３の後端に設けられた後面板３６とからなる。裏側面板３３には、表側面板３２側に向かって凹むように湾曲する湾曲凹部４０が形成されている。
【００３０】
湾曲凹部４０は、前部湾曲面４１と後部湾曲面４２とからなり、前部湾曲面４１と後部湾曲面４２が連接される中心部４３が一番深くなっている。前部湾曲面４１及び後部湾曲面４２は、内側から外側に向かって緩やかに浅くなるように形成されている。前部湾曲面４１は、前記前傾斜面２１と対応しており、後部湾曲面４２は、前記後傾斜面２２と対応している。なお、前部湾曲面４１及び後部湾曲面４２は、緩やかな曲線を描くように湾曲して形成されているが、直線的な傾斜面で形成しても構わない。
【００３１】
前面板３５及び後面板３６の略中心には、前記支軸６，７が挿通して取り付けられる取付孔４８，４９が形成されている。また、前部湾曲面４１及び後部湾曲面４２には、湾曲凹部４０の上下方向の略中心線上、即ち、湾曲凹部４０の取付穴４８の軸心と取付穴４９の軸心を結ぶ連結線上にガイド板４５が設けられている。このガイド板４５は、湾曲凹部４０の上下を仕切るように構成され、下面１２上を転動する球体８の上部が当接する程度に突出して形成されている。ガイド板４５には、略中央に位置する球体８を挿通可能とする半円状の切り欠き４６が設けられている。
【００３２】
係止装置１は、球体８をケース２の収納室１１の下面１２に載置し、係止部材３１を裏側面板３３側から収納室１１内に装設し、支軸６を軸受け孔２６及び係止部材３１の取付孔４８に挿着すると共に、支軸７を軸受け孔２７及び係止部材３１の取付孔４９に挿着することによって組み立てられる。係止部材３１は、支軸６，７により収納室１１内に回動可能に取り付けられる。
【００３３】
次に前記係止装置１に係止される被係止装置６１について説明する。図１，２に示すように、被係止装置６１は、合成樹脂素材によって一体成形され、矩形薄板状の被係止本体６３と、被係止本体６３の表面６３ａの長手方向一方に設けられた係止突起６５と、被係止本体６３の裏面６３ｂの長手方向一方に設けられた係合突起６７と、被係止本体６３の裏面６３ｂの長手方向他方に形成された一対の係止爪６６，６６と、被係止本体６３の裏面６３ｂの長手方向他方に形成されたガイド突起６８とで形成されている。
【００３４】
被係止本体６３は、細長板状に形成されている。係止突起６５は、被係止本体６３の表面６３ａの一方側先端に形成され、被係止本体６３と略直角の係止面６５ａと、一方側先端に向かって下降傾斜する傾斜面６５ｂとを有する。係合突起６７は、被係止本体６３の裏面６３ｂの一方側に設けられ、一方側端面に引き出し１０５の奥側開口１０８端縁１０８ａを係止する係止凹部６７ａが形成されている。また、係合突起６７は、他方側がリブ６７ｂによって補強されている。
【００３５】
一対の係止爪６６，６６は、被係止本体６３の裏面６３ｂの長手方向他方側に設けられ、短手方向側端面に引き出し１０５の手前側開口１０９の周縁１０９ｂを係止する係止凹部６６ａ，６６ａが形成されている。ガイド突起６８は、被係止本体６３の裏面６３ｂの長手方向他方側に設けられ、長手方向他端側に向かって下降傾斜する傾斜面６８ａを有する。当該傾斜面６８ａは、引き出し１０５の側壁１０７の手前側に形成された手前側開口１０９の端縁１０９ａと摺接可能である。当該ガイド突起６８は、被係止本体６３の裏面６３ｂに形成された矩形板状の係合凸部７０上に設けられている。また、被係止本体６３は、一対の係止爪６６，６６の近傍であって、短手方向両端に段凹部７１，７１が形成されている。
【００３６】
振動感知ロック装置Ａは、上記構成を有し、以下のように使用することができる。係止装置１は、箪笥、机、食器棚等の引き出し付き収納装置１００の収納装置本体１０１に取り付けられる。図５に示すように、係止装置１は、引き出し１０５を引き出し可能に収容する収容室１０２の右（又は左）の側壁（側面）１０３に取り付けられている。側壁１０３には、嵌合穴１０４が形成され、係止装置１の突出部５が嵌合穴１０４に嵌合している。係止装置１のフランジ３は、嵌合穴１０４の周縁に係合されている。フランジ３の挿通孔２８，２９には、ネジ３７，３７が挿通され、ネジ３７，３７が側壁１０３にねじ込まれて、係止装置１が側壁１０３に固定されている。なお、下面１２及び上面１３は、対称に形成され、球体８がガイド板４５の切り欠き４６を通過して下側の面に落下するので、どちらの面を下側にしても構わない。
【００３７】
図２に示すように、被係止装置６１は、引き出し１０５の右（又は左）の側壁１０７の外側面１０７ａに取り付けられる。即ち、図２（ａ）に示すように、被係止装置６１の係合突起６７を、引き出し１０５の側壁１０７の奥側に形成された奥側開口１０８に係合し、被係止装置６１のガイド突起６８を引き出し１０５の側壁１０７の手前側に形成された手前側開口１０９に押し込む。被係止装置６１は、図２（ｂ）に示すように、ガイド突起６８の傾斜面６８ａが手前側開口１０９の端縁１０９ａに摺接して奥側（矢印Ｐ方向）に摺動し、図２（ｃ）に示すように、係合凸部７０が手前側開口１０９に係合する。なお、ガイド突起６８が手前側開口１０９に係合するようにしても構わない。このようにして、被係止装置６１は、引き出し１０５の右（又は左）の側壁１０７に取り付けられる。
【００３８】
また、被係止装置６１は、図２（ｂ）に示すように、奥側（矢印Ｐ方向）に摺動しながら、図２（ｃ）に示すように、手前側開口１０９の周縁１０９ｂに一対の係止爪６６，６６の一方が係止する。また、係合突起６７は、図２（ｂ）に示すように、被係止装置６１が奥側に摺動すると、これの係止凹部６７ａが、図２（ｃ）に示すように、奥側開口１０８の端縁１０８ａを係止する。このように、被係止装置６１は、係止爪６６と係止凹部６７ａによって、引き出し１０５の側壁１０７に強固に固定して取り付けられる。被係止装置６１は、引き出し１０５に取り付けられると、引き出し１０５の引き出す方向に伸びるように配置される。
【００３９】
被係止装置６１は、手前側（矢印Ｑ方向）に摺動させると、ガイド突起６８の傾斜面６８ａが手前側開口１０９の端縁１０９ａに摺接して被係止装置６１の手前側が側壁１０７から離れ、引き出し１０５の側壁１０７から簡単に外すことができる。即ち、図２（ｃ）に示すように、被係止装置６１は、手前側（矢印Ｑ方向）に摺動させると、図２（ｂ）に示すように、係合突起６７の係止凹部６７ａが奥側開口１０８の端縁１０８ａから外れ、ガイド突起６８の傾斜面６８ａが手前側開口１０９の端縁１０９ａに摺接して被係止装置６１の手前側が側壁１０７から離れ、係止爪６６が手前側開口１０９の周縁１０９ｂから外れる。被係止装置６１は、手前側（矢印Ｑ方向）に摺動させると、係止爪６６と係止凹部６７ａの係止が解除され、側壁１０７から取り外すことができる。
【００４０】
図５に示すように、係止装置１は、非振動時においては、球体８が一番低い位置である接続線（球体静止部）２３上であって、一方の側面１７に当接している（初期位置）。係止部材３１は、自重により下部３１ａが下方に付勢されて非係止位置Ｘ１にあり、ケース２の収納室１１内に収まっている。従って、引き出し１０５の開閉は、何等阻止されずにスムーズに行うことが出来る。
【００４１】
図６に示すように、係止装置１は、振動時においては、球体８が一番低い位置である接続線（球体静止部）２３から移動する。例えば、球体８が開口１８側（Ｘ方向）に移動すると、係止部材３１の湾曲凹部４０の中心部４３が外側に押圧され、係止部材３１が支軸６，７を中心として回動し、下部３１ａが係止位置Ｘ２まで突出する。球体８が引き出し１０５の開く方向（Ｆ方向）に移動すると、球体８が前部湾曲面４１に摺接しながら移動するので、係止部材３１が外側に押圧され、係止部材３１が支軸６，７を中心として回動し、下部３１ａが係止位置Ｘ２まで突出する。同様に、球体８が引き出し１０５の閉じる方向（Ｂ方向）に移動すると、球体８が後部湾曲面４２に摺接しながら移動するので、係止部材３１が外側に押圧され、係止部材３１が支軸６，７を中心として回動し、下部３１ａが係止位置Ｘ２まで突出する。また、球体８が上下方向（Ｚ方向）に移動しようとしても、球体８の上部がガイド板４５に当接することにより上下方向の移動が規制される。しかし、かなり強い上下方向の振動が発生した場合には、球体８がガイド板４５を押し上げ、係止部材３１が支軸６，７を中心として回動し、上部３１ｂが係止位置Ｘ２まで突出する。
【００４２】
このように、係止装置１は、振動時に球体８が転動して、係止部材３１が外側に押し出され、係止部材３１の下部３１ａ（又は上部３１ｂ）が係止位置Ｘ２に移動する。引き出し１０５は、これの右（又は左）の側壁１０７の外側面１０７ａに被係止装置６１が装着されているので、被係止装置６１の係止突起６５が係止部材３１の下部３１ａ（又は上部３１ｂ）に係止され、開放が阻止される（開く方向への移動が規制される）。
【００４３】
係止装置１は、振動が終了すると、球体８が自重により、前傾斜面２１又は後傾斜面２２に沿って接続線（球体静止部）２３上に復帰し、さらに接続線２３の下降傾斜に沿って一方の側面１７に当接して初期位置で静止する。振動が終了して球体８が元の静止位置に復帰すると、球体８が係止部材３１を押圧しなくなるので、係止部材３１の下部３１ａ（又は上部３１ｂ）が自重により元の非係止位置Ｘ１に戻る。引き出し１０５は、被係止装置６１の係止突起６５に対する係止が解除され、引き出し１０５の開閉方向の移動が再び可能になる。
【００４４】
引き出し１０５は、何らかの原因、例えば球体８が係止部材３１と噛み合う等の障害によって自動復帰せず、開かなくなってしまう場合がある。係る場合には、収納装置本体１０１と引き出し１０５の隙間からドライバー等の棒状部材を、被係止装置６１の段凹部７１に差し込んで、係止爪６６を手前側開口１０９の周縁１０９ｂから強制的に外すことができ、かかる作業により、被係止装置６１を側壁１０７から取り外すことができる。被係止装置６１を引き出し１０５の側壁１０７から取り外せば、引き出し１０５を開放することができるので、前記した障害を解決することができる。
【産業上の利用可能性】
【００４５】
本願発明は、箪笥、机、食器棚等の引き出し付き収納装置に設けられ、地震等の振動時に引き出しの開放を規制する振動感知ロック装置として利用可能である。
【符号の説明】
【００４６】
Ａ 振動感知ロック装置
Ｘ１ 非係止位置
Ｘ２ 係止位置
１ 係止装置
２ ケース
３ フランジ
３ａ 表面
３ｂ 裏面
５ 突出部
６ 支軸
７ 支軸
８ 球体
１１ 収納室
１２ 下面
１３ 上面
１５ 前面
１６ 後面
１７ 一方の側面
１８ 開口（他方の側面）
２１ 前傾斜面（下降傾斜面）
２２ 後傾斜面（下降傾斜面）
２３ 接続線（底線 球体静止部）
２６ 軸受け孔
２７ 軸受け孔
２８ 挿通孔
２９ 挿通孔
３１ 係止部材
３１ａ 下部
３１ｂ 上部
３２ 表側面板
３３ 裏側面板
３５ 前面板
３６ 後面板
３７ ネジ
４０ 湾曲凹部（当接部）
４１ 前部湾曲面（前方傾斜面）
４２ 後部湾曲面（後方傾斜面）
４３ 中心部（中間部）
４５ ガイド板
４６ 切り欠き
４８ 取付孔
４９ 取付孔
６１ 被係止装置
６３ 被係止本体
６３ａ 表面
６３ｂ 裏面
６５ 係止突起
６５ａ  係止面
６５ｂ  傾斜面
６６ 係止爪
６６ａ  係止凹部
６７ 係合突起
６７ａ  係止凹部
６７ｂ  リブ
６８ ガイド突起
６８ａ  傾斜面
７０  係合凸部
７１ 段凹部
１００ 引き出し付き収納装置
１０１ 収納装置本体
１０２ 収容室
１０３ 側壁（側面）
１０４ 嵌合穴
１０５ 引き出し
１０７ 側壁
１０７ａ 側面
１０８ 奥側開口
１０８ａ  端縁
１０９ 手前側開口
１０９ａ  端縁
１０９ｂ  周縁
【図１】
0005406244.tif 000002
【図２】
0005406244.tif 000003
【図３】
0005406244.tif 000004
【図４】
0005406244.tif 000005
【図５】
0005406244.tif 000006
【図６】
0005406244.tif 000007